(57)【要約】【課題】  ラケットケースにスタンドを設けることで、ラケットケースの収納部が地面に直接触れることなく設置することを可能とし、ラケットケースが汚れるのを防ぎ、濡れた地面に置く場合のラケットケース及び収納品への影響をなくすと共に、収納品の取り出しを容易にし、さらに持ち運びに優れたラケットケースを提供することを目的としている。【解決手段】  横長で上面を蓋部で開閉可能とされた収納部と、この収納部底面に基端部を回転可能に連結され、収納部底面に対し所定角度まで回転して収納部を傾斜状態に保持するスタンドとを備えるラケットケースであって、前記スタンドは連動部材により閉脚状態に付勢されており、前記収納部は前記スタンドと押付部材のみによって支えられ、自立可能とされることを特徴とする。【選択図】      図３
2005118468.tif 000002
【特許請求の範囲】
【請求項１】
横長で上面を蓋部で開閉可能とされた収納部と、
この収納部底面に基端部を回転可能に連結され、収納部底面に対し所定角度まで回転して収納部を傾斜状態に保持するスタンドと
を備えることを特徴とするラケットケース。
【請求項２】
前記収納部には、長手方向一端側にラケットのグリップ側を配置する一方、長手方向他端側にラケットのガット側を配置して、ラケットが収納可能とされ、
この収納部の長手方向一端側の底面に、連結部材を介して前記スタンドの基端部が回転可能に連結される
ことを特徴とする請求項１に記載のラケットケース。
【請求項３】
前記収納部の長手方向他端側の底面に、基端部が回転可能に設けられた押付部材と、
一端部がスタンドと回転可能に連結され、他端部が前記押付部材と回転可能に連結され、前記押付部材を前記収納部長手方向他端側に付勢しており、この付勢力に対抗して前記押付部材を回転させることで前記スタンドを開脚させる連動部材と
を更に備えることを特徴とする請求項２に記載のラケットケース。
【請求項４】
前記押付部材の先端部は、前記スタンド収納状態において前記収納部の底面から離間する方向で且つ前記収納部の長手方向他端側に傾斜しており、
前記収納部は前記スタンドと前記押付部材のみによって支えられ、自立可能とされた
ことを特徴とする請求項３に記載のラケットケース。
【請求項５】
前記蓋部は、前記収納部の上面全体を覆う
ことを特徴とする請求項１から請求項４までのいずれかに記載のラケットケース。
【請求項６】
前記収納部の長手方向他端側の側面に突部を備える
ことを特徴とする請求項２から請求項５までのいずれかに記載のラケットケース。
【発明の詳細な説明】
【技術分野】
【０００１】
本発明は、テニス、ソフトテニス、バトミントン、スカッシュ等に使用されるラケット、及びプレーに必要な備品を持ち運ぶ際に用いられるラケットケースに関するものである。
【背景技術】
【０００２】
テニスプレーヤーが、プレーに必要な備品一式を持ち運びする際に使用するバッグとして、ラケットケースがある。従来のラケットケースには、テニスラケットとテニスウェア、テニスシューズ等を収納するスペースが設けられており、例えば下記特許文献１や特許文献２に記載のような改良を加えたものも提案されている。しかし、これらは持ち運び時に効果を奏する改良であり、テニスをプレーする際、テニスコートサイドで使用する時に効果を奏するような改良が加えられたものは知られていない。
【０００３】
ところで、ラケットケースは、その大部分がナイロン等の繊維によって構成されているのが一般的で、簡単に汚れてしまう。特に、クレーコートの場合は土の汚れがつきやすい。また、冬場の早朝や雨上がり後の人工芝コートは非常に多くの水分を含んでいるため、地面に直接置いたラケットケースが濡れ、その中のラケットも濡れてしまう、という不都合もあった。ラケット、特にガットは湿気に弱いため、この不都合はテニスプレーヤーを非常に悩ましていた。
【０００４】
さらに、従来のラケットケースは地面に直接置かれるので、ラケットなどを取り出す際に腰を大きく曲げる必要があり、この作業は特に高齢者プレーヤーにとっては負担が大きかった。
【特許文献１】特開平１１−１２７９３２号公報
【特許文献２】特開２００３−１０２５３１号公報
【発明の開示】
【発明が解決しようとする課題】
【０００５】
本発明は、上述の実情に鑑みてなされたもので、その主たる目的はラケットケースにスタンドを設けることで、ラケットケースの収納部が地面に直接触れることなく設置することを可能とし、ラケットケースが汚れるのを防ぎ、濡れた地面に置く場合のラケットケース及び収納品への影響をなくすと共に、収納品の取り出しを容易にし、さらに持ち運びに優れたラケットケースを提供することを目的としている。
【課題を解決するための手段】
【０００６】
本発明の請求項１の発明は、横長で上面を蓋部で開閉可能とされた収納部と、この収納部底面に基端部を回転可能に連結され、収納部底面に対し所定角度まで回転して収納部を傾斜状態に保持するスタンドとを備えることを特徴とするラケットケースである。
【０００７】
請求項２の発明は、前記収納部には、長手方向一端側にラケットのグリップ側を配置する一方、長手方向他端側にラケットのガット側を配置して、ラケットが収納可能とされ、この収納部の長手方向一端側の底面に、連結部材を介して前記スタンドの基端部が回転可能に連結されることを特徴とする。
【０００８】
請求項３の発明は、前記収納部の長手方向他端側の底面に、基端部が回転可能に設けられた押付部材と、一端部がスタンドと回転可能に連結され、他端部が前記押付部材と回転可能に連結され、前記押付部材を前記収納部長手方向他端側に付勢しており、この付勢力に対抗して前記押付部材を回転させることで前記スタンドを開脚させる連動部材とを更に備えることを特徴とする。
【０００９】
請求項４の発明は、前記押付部材の先端部は、前記スタンド収納状態において前記収納部の底面から離間する方向で且つ前記収納部の長手方向他端側に傾斜しており、前記収納部は前記スタンドと前記押付部材のみによって支えられ、自立可能とされたことを特徴とする。
【００１０】
請求項５の発明は、前記蓋部は、前記収納部の上面全体を覆うことを特徴とする。
【００１１】
請求項６の発明は、前記収納部の長手方向他端側の側面に突部を備えることを特徴とする。
【発明の効果】
【００１２】
請求項１の発明によれば、収納部の底面が地面から持ち上げられ、傾斜した状態で自立させることが可能である。そのため、収納部の底面が地面に触れないので、土などによって汚れることがなくなる。加えて、最大開脚角度が所定の角度に規制されているため、スタンドが開き過ぎないように配慮する必要なく開脚作業を行うことができる。
【００１３】
請求項２の発明によれば、傾斜状態においてラケットのグリップ部分が上方にくるので、ラケットをより楽な姿勢で取り出すことができる。また、プレーヤーがベンチに座っていて、ベンチの横に本ラケットケースを傾斜させて設置させておけば、プレーヤーは前かがみになることなく、ベンチに座った状態でラケットケースからラケットを、グリップを持って簡単に取り出すことができる。
【００１４】
請求項３の発明によれば、持ち運び時などスタンドを使用しない時は、スタンドが閉脚する方向に付勢されているので、スタンドがぐらつくことがない。加えて、スタンドを使用する際は、ラケットケースの一部である押付部材を地面に当て、ラケットケースを地面方向に押付ける作業のみでスタンドを開脚することができるので、簡単に開脚作業を行うことができる。
【００１５】
請求項４の発明によれば、収納部を直接地面に触れさせることなくスタンドの開脚作業を行うことができる。また、自立状態では収納部はスタンドと押付部材のみによって支えられるので、収納部が地面に直接触れることなく設置することができる。特に、収納部が雨上がり後の濡れた地面に触れることがなくなるので、収納部の濡れ及びラケットへの影響を無くすことができる。
【００１６】
請求項５の発明によれば、蓋部によって収納部の上面全体を開口させることができるので、ラケットをより容易に取り出すことができる。
【００１７】
請求項６の発明によれば、収納部側面に突部が設けられているので、持ち運び時に電車内などで倒立させて置く場合、直接収納部が地面に触れることがないので、汚れを防ぐことができる。
【発明を実施するための最良の形態】
【００１８】
以下、本発明のラケットケースの一実施例を、図面に基づき更に詳細に説明する。
【００１９】
図１は、本発明のラケットケース１の一実施例の斜視図である。
本実施例のラケットケース１は、テニスラケット等を収納する収納部２を主要部として備える。この収納部２は、上方に開口した横長の略直方体の袋状である。収納部２は、長手方向一端側（図１において右側）にラケットのグリップ側を配置する一方、長手方向他端側（図１において左側）にガット側を配置してラケットを収納するのに適した形状に形成されており、底面は水平状に形成されている。なお、後述するように、ラケットはガットの面が前後に向くようにして収納される（図９参照）。収納部２の上面の開口部には、長方形状の蓋部３が開閉可能に設けられる。この際、開口部の長手方向に沿った一側辺に、蓋部３の一辺が連接されており、蓋部３の他の三辺と収納部２の開口部周縁との間にはファスナーが設けられ、蓋部３は収納部２に対して開閉可能となっている。また、収納部２の長手方向両端を掛け渡すように帯状の肩掛け部４が設けられている。さらに収納部２の正面や蓋部３の上面には、ファスナー付ポケット５が設けられている。蓋部３の上面の長手方向中央部と、収納部２の長手方向一端側には、それぞれ取手６が設けられている。
【００２０】
図２及び図３は、本実施例のラケットケース１を垂直に立てた状態を底面側から見た斜視図であり、図２は、カバー７ａ、７ｂを閉じた状態を示し、図３はカバー７ａ、７ｂを開けた状態を示している。
これらの図に示すように、収納部底面の左右両端部（長手方向に沿った両辺部）には、それぞれ細長い長方形板状のカバー７ａ、７ｂが設けられている。本実施例における各カバー７ａ、７ｂの左右幅は、収納部底面の左右幅の半分の長さより３から５センチメートル長く、上下幅は収納部底面の長手方向幅より５センチメートル程度短い長さである。また、各カバー７ａ、７ｂの先端側下部一端が、切り込み辺１８によって切り落とされた形状となっている。各カバー７ａ、７ｂは、一方の長辺が収納部底面の長手方向の一端縁に連接されている。図３に示すように、右側のカバー７ａの先端部外面と、左側のカバー７ｂの先端部内面には、それぞれ互いに着脱可能な面ファスナー８が設けられている。従って、収納部底面に右側カバー７ａを重ね合わせるよう折りたたんだ後、左側カバー７ｂを重ねることで、面ファスナーにより互いに係合される。
【００２１】
ところで、収納部底面は硬質に形成されており、表面はナイロン等の繊維で覆われている。この収納部底面には、連結部材９を介して棒状の一対のスタンド１１、１１が設けられる。連結部材９は、収納部底面の長手方向一端側（ラケットを収納部２に収納した時にグリップが配置される側）に設けられる。
図４（ａ）は、図３の収納部底面の上部を拡大して示す図であり、同図（ｂ）は、収納部底面の下部を拡大して示す図である。図４（ａ）に示すように、本実施例の連結部材９は、左右に細長い長方形状の基板９ａを備え、この基板９ａには左右に離間して二つの突出部１０、１０が一体形成されている。そして、連結部材９はその基板９ａによって収納部底面に固定される。
左右の突出部１０、１０は、それぞれ基板９ａ（収納部底面）から離間する方向に突出し、且つ突出するにつれ、お互いに離間する形状をとっている。各突出部１０は左右の側壁１０ａ、１０ａと、この側壁１０ａ、１０ａの先端間を連結する先端壁１０ｂを備える。先端壁１０ｂには、左右の側壁間の溝と連続して、下方に開口して切欠きが形成されている。切欠きの幅寸法は、後述する棒状のスタンド１１、１１の直径よりやや大きく、切欠き上端部１０ｃは棒状のスタンド１１、１１の外周面に適合した半円形状に形成されている。この側壁間にスタンド１１、１１の基端部が差し込まれ、側壁を貫通して設けられた軸部１０ｄによって、スタンド１１、１１が軸部１０ｄまわりに回転可能とされる。
【００２２】
左右の各スタンド１１、１１は金属製パイプからなり、収納部長手方向の長さに対してやや短い長さである。各スタンド１１、１１は上述した通り、基端部が連結部材９の突出部１０に回転可能に連結される一方、先端部１１ａはゴムによって覆われている。また、スタンド１１、１１の基端部のやや下部にはヒンジ部１２が設けられている。このヒンジ部１２はスタンド１１、１１に嵌め込まれてピン１３により固定された円筒部１２ａと、この円筒部から突出する軸受部１２ｂとを備える。この軸受部１２ｂは、スタンド１１、１１への取り付け状態において、前記突出部１０とほぼ同一方向に突出している。さらに軸受部１２ｂには後述する連動部材１４の左右両端部が差し込まれる軸受穴１２ｃが形成されている。
【００２３】
上述した収納部底面の上部の構成に対して、収納部底面の下部には保持部材１７を介して押付部材１６が設けられる。
図４（ｂ）に示すように、本実施例の保持部材１７は、収納部底面に固定される板状の取付板１７ａに対し左右に離間して、一対の板状の突出片１７ｂ、１７ｂが一体的に平行に設けられている。なお、各突出片１７ｂの先端面１７ｄには、浅い略Ｖ字形状の溝１７ｅが形成されている。一方、押付部材１６はプラスチック製の略Ｌ字形状部を備え、その長片側端部の裏面には、保持部材１７の突出片１７ｂ、１７ｂ間に差し込まれる円筒状取付部１６ａが左右に延出して一体形成されている。この円筒状取付部１６ａは、突出片１７ｂに左右方向に沿って設けられるピン１７ｃにて回転可能に設けられる。各突出片１７ｂの先端面１７ｄには、浅い略Ｖ字形状の溝１７ｅが形成されている。
押付部材１６の略Ｌ字形状部の短片先端部１６ａには、連動部材１４が嵌め込まれている。本実施例の連動部材１４は、金属製の細長い線材がＵ字形状に屈曲形成されている。そして、その中央屈曲部が、押付部材１６の略Ｌ字形状部の短片先端部１６ａに回転可能に嵌め込まれている。連動部材１４の左右両辺の先端部はそれぞれ左右方向外側へＬ字形状に屈曲されており、その屈曲部は前記軸受部１２ｂの軸受穴１２ｃに回転可能に差し込まれる。また、連動部材１４の両端辺間は、ベルト１５にて左右方向の離間距離が規制されている。このような構成であるから、押付部材１６は収納部２の長手方向他端側へ付勢され、スタンド１１は収納部底面側へ付勢されるので、スタンド１１はぐらつかない。
【００２４】
ラケットケース１は、従前のラケットケースと同様に、収納部内に一又は複数本のテニスラケットを収納して使用される。本実施例のラケットケース１では、収納部２の蓋部３を開けると、細長い収納部全体がほぼ開口するので、ラケットの出し入れが容易である。また、ラケットケースを持ち運ぶ際には、底面のスタンド１１、１１を閉じて、カバー７ａ、７ｂを閉じておく。そして、肩掛け部４や取手６によって持ち運ぶ。
【００２５】
ラケットケース１は上記構成をとるので、スタンド１１、１１を開くことにより、スタンド１１、１１と押付部材１６を地面に接地させ、ラケットケース１を傾斜させて自立させることが可能である。
ラケットケース１を立てるには、スタンド１１を開脚させ、スタンド１１と押付部材１５を地面に接地させればよい。スタンド１１を開脚させるには、カバー７ａ、７ｂを開けた状態で、まず押付部材１６の先端部１６ｂのみが接地するように、ラケットケース１をやや収納部底面側に傾斜させて保持する。そして、押付部材１６を地面に対して押付ける。この際、収納部底面は比較的硬質に形成しているので、収納部２を押すだけでよい。このように押付部材１６を地面に対して垂直に押付けることにより、ピン１７ｃを中心に押付部材１６が上方に回転する（図５（ｂ））。この動きに伴い、押付部材１６に回転可能に連結された連動部材１４が上方に移動する。すると、連動部材１４はヒンジ部材１２に連結されたスタンド１１、１１を押上げ、開脚させる（図５、図６）。そしてプレーヤーが好みの角度でスタンド１１、１１の先端部１１ａ、１１ａを地面に接地させることにより傾斜角度が確定する。このとき、連動部材１４によりスタンド１１、１１を閉脚状態にしようとする力が働くが、この力は、先端部１１ａ、１１ａと地面との摩擦力と平衡するため、スタンド１１、１１は閉まらず、傾斜状態が保持される。しかし、プレーヤーが傾斜状態からラケットケース１を持ち上げると地面との摩擦力が消滅するため、スタンド１１、１１は自動的に閉脚状態となる。
【００２６】
スタンド１１、１１の開脚幅は連結部材９の突出部１０の切欠き上端部１０ｃ、または保持部材１７の溝１７ｅによって規制される。よって、スタンド１１、１１が開脚していくにつれ、スタンド１１、１１が切欠き上端部１０ｃに近づいていき、スタンド１１、１１が切欠き上端部１０ｃと接した状態において、スタンド１１、１１の最大開脚幅となる（図５（ａ））。あるいは、スタンド１１、１１が開脚していくにつれ押付部材１６がピン１７ｃを中心に回転し、押付部材１６のＬ字形状部の長辺の端部１６ｃが保持部材１７の溝１７ｅの上面と接した状態において、スタンド１１、１１の最大開脚幅となる（図５（ｂ））。
【００２７】
スタンド１１、１１を最大限に開脚し、スタンド１１、１１と押付部材１６を接地させ、傾斜状態としたラケットケース１の斜視図を図７に、真横から見た図を図８に示す。
図８においてカバー７ａ、７ｂは、その下部一端が切り込み辺１８によって除去されているため、地面に接することがない。さらに、傾斜状態にあるラケットケース１は、押付部材１６とスタンド１１、１１の合計三点によって保持されるため、収納部２が直接地面に接することがない。
【００２８】
また、収納部２上面の蓋部３を開けることにより上面全体が開口するため、ラケットを容易に取り出すことができる構成となっている。また、プレーヤーがベンチに座っていて、ベンチの横にラケットケース１を傾斜させて設置させておけば、プレーヤーは前かがみになることなく、ベンチに座った状態でラケットケース１からラケットを、グリップを持って簡単に取り出すことができる。図９に、蓋部３を開口した状態を示す。本実施例では、ラケット収納部と衣服収納部二つを設けているが、衣服収納部に設けられている仕切りは取り外すことができ、収納物の大きさによって適宜変更が可能である。さらに、ラケット収納部内において、ラケットのガット面側が収納される側に、緩衝材を備えたラケット仕切り板１９が、収納部２の長手方向に沿うように複数配置されている。これにより、ラケットのガット面付近のフレーム同士が接触せず、損傷を防ぐことができる。
【００２９】
さらに図１０に示すように、押付部材１６が設置される側の収納部２の端部には、突部２０が設置されている。本実施例において突部２０はプラスチック製のものを使用している。これによりラケットケース１を図１１のように縦置きした時に突部２０が地面と接するため、収納部２が直接地面に接することがない。
【００３０】
なお、本発明のラケットケースは、本実施例にのみ限定されるものではなく、収納部の形状やスタンドの形状等、適宜変更を加え得ることは勿論である。例えば、本実施例ではスタンドの脚は２本であったが、板状のスタンドを用いてもよい。また、図１２に示されるように、収納部の背面側（ファスナー付ポケット５が設けられていない側）に、背中で背負う為のショルダー２１を設けてもよい。
【図面の簡単な説明】
【００３１】
【図１】本発明のラケットケースの一実施例を示す斜視図である。
【図２】図１のラケットケースを立てた状態を示し、カバーをしている状態の底部を示す斜視図である。
【図３】図１のラケットケースを立てた状態を示し、カバーを開いた状態の底部を示す斜視図である。
【図４】図３上部に示されるスタンドの基端部周辺（ａ）と、同下部に示される押付部材周辺（ｂ）を示す斜視図であり、スタンド閉脚状態を示している。
【図５】図３上部に示されるスタンドの基端部周辺（ａ）と、同下部に示される押付部材周辺（ｂ）を示す斜視図であり、スタンド開脚状態を示している。
【図６】図３に示されるラケットケースのスタンドを開脚させた状態を示す斜視図である。
【図７】図１のラケットケースの使用状態を示す図であり、開脚状態で自立させた状態を示す斜視図である。
【図８】図７の側面図である。
【図９】図７において、ラケットケースの蓋部を開いた状態を示す斜視図である。
【図１０】図１のラケットケースの突部周辺を示す斜視図である。
【図１１】図１０に示される突部のみで本体を支えている状態を示す図である。
【図１２】図１のラケットケースの収納部背面側に、ショルダーを設けたものを示す図である。
【符号の説明】
【００３２】
１  ラケットケース
２  収納部
３  蓋部
７ａ  カバー
７ｂ  カバー
８  面ファスナー
９  連結部材
１１  スタンド
１２  ヒンジ部
１４  連動部材
１５  ベルト
１６  押付部材
１７  保持部材
１８  切り込み辺
１９  仕切り板
２０  突部
２１  ショルダー
【図１】
2005118468.tif 000003
【図２】
2005118468.tif 000004
【図３】
2005118468.tif 000005
【図４】
2005118468.tif 000006
【図５】
2005118468.tif 000007
【図６】
2005118468.tif 000008
【図７】
2005118468.tif 000009
【図８】
2005118468.tif 000010
【図９】
2005118468.tif 000011
【図１０】
2005118468.tif 000012
【図１１】
2005118468.tif 000013
【図１２】
2005118468.tif 000014